(57)【要約】      （修正有）【課題】供給無しの自続エネルギーエンジンを提供する。【解決手段】主軸（右廻り）１に固着した固着ギヤー（右廻り）３、固定盤１６に固着したアイドルギヤー（左廻り）４及びアイドルギヤー（右廻り）５，ローターギヤー（左廻り）６に固着したローター磁気（左廻り）７及びローター磁気（右廻り）８、主軸１に固着したローター磁気（右廻り）９、内側内周盤１７に固着のローター磁気（右廻り）、主軸１に固着した外側磁気外周盤（右廻り）１８で構成し、レバー起動と同時に磁気習性現象空間速は圧速されては縮み、減速されては伸びる。【選択図】図１
2014124070.tif 000002
【特許請求の範囲】
【請求項１】
本発明のエネルギー起さりに、全て、新しい、起源根元理を見い出し、磁気習性現象を用い、補充、供給無しの自続エネルギーエンジンの立証に関する。
エネルギー起さりに磁気習性現象を用い補充、供給無しの導連送迎連導の自続エネルギーエンジンの構成を説明すると、（１４）レバー起動させると（１）主軸（右廻り）に（３）と（１）は固着ギヤー（右廻り）に（１６）に固着した（４）アイドルギヤー（左廻り）に（５）アイドルギヤー（右廻り）に（６）ローターギヤー（左廻り）に固着した（７）ローター磁気（左廻り）は、磁気習性現象によって（８）ローター磁気（右廻り）に（１０）アイドルローター磁気（左廻り）に（９）（１）に固着したローター磁気（右廻り）に（１７）内側内周盤に固着のローター磁気（右廻り）に（１７）に設けた（８）ローター磁気（右廻り）に（１）に固着した（１８）外側磁気外周盤（右廻り）にこのように構成し、レバー起動と同時に磁気習性現象空間速は圧速されては（縮み）減速されては（伸び）空速の時速、圧速、減速の加圧減速送迎されてこそ、導き連なりに連なり導きに繰り返し送迎させると導連送迎連導に自らエネルギーは、作りは生み、に、生みは作りにエネルギーは自ら続き、自続エネルギーとなり、エネルギー起さりである。
【請求項２】
本発明は、エネルギー起さりにおける無の静止状況に全て新しい起源根元理に導連連導に導連送迎連導に連導導連に導連に連導にエネルギー起さりにおける、文献説、定義、定説、の文言説を見い出し、新説に起源根元作働働作原理に立証に磁気習性現象を用い、補充、供給無しの自続エネルギーエンジンに作働働作に作働送迎働作に働作作働に作働働作に自続エネルギー起さりに完成し、実証され、成功した証しである。
補充供給無しの自続エネルギーエンジンの完成により、実証、証明にエネルギー起さりの成功に、エネルギーにさせた証しである。
【発明の詳細な説明】
【自続エネルギーエンジン】
【０００１】本発明は、全て新しい、エネルギー起さりの起源根元理に文献説、定義、定説を見い出し文言説の立証に、補充供給無しの自続エネルギーエンジンの完成により、実証、証明に成功した明しである。
【０００２】従来、文明発展に貢献した過去の文献説と文言説を述べると、エネルギーを得る事に、利用、使用に用いた定義、定説は、必ず他の源を必要とした事献、物事の文言説であった。
【０００３】従来、エネルギーを得る事に、利用、使用の他の源に用いた、太陽光、風力、波力、水力、等々、は、これ等を源にして、補充、供給してエネルギーを得る文献説、定義、定説の文言説の定理にした事献、物事であった。
【０００４】従来、エネルギー得る、源の資源に石油、石炭、天然ガス、岩盤石油、ハイドレードメタン、等々を用いた過去の文献説、定義、定説、他の源を必ず、必要とした事献、物事した文言説の定理であった。
【発明の概要】
本発明は、エネルギー起さりにおける全て新しい起源根元理に文献説、定義、定説、を見い出し、定理、文言説の立証に磁気習性現象を用い、補充、供給無しの自続エネルギーエンジンの完成により、定理、文言説の実証、証明に成功した明しであり、エネルギー起さりに関する事献、物事である。
本発明は従来の文明発展に貢献してきた、文献説、定義、定説、文言説を全て否定し覆し、全て新しいエネルギー起さりにおける起源根元理に文献説、定義、定説、文言説を見い出し補充供給無しの自続エネルギーエンジンの完成により、自続エネルギーはエネルギー起さりに実証、証明に成功した明しである。
尚、空間に浮遊リングにリニアモーターを構成させた超放磁気電導の自続エネルギーエンジンも可能である。又、クランクに構成の磁気電導の自続エネルギーエンジンも可能である。
この発明に従来、利用、使用の太陽光、風力、波力、水力等々、又は、地球資源の原子力、石油、石炭、天然ガス、地熱、ハイドレードメタン、等々あるが、地中には、空洞が広がり、やがて地球は破壊され、宇宙の藻屑となる。これを阻止し、クリーンな地球環境に公害の無い世界の文明に多大に貢献出来る、大いなる効果がある。又、このエネルギー起さりにおける無の静止状況に起源根元理に点でも起さりであり、起さりを深く掘り下げると幅広い産業上分野に適応し、新しい分野に生み作り出来る
【発明の概要の要件】
本発明は、無の静止状況にエネルギー起さりにおける推論、考想、に掘り下げ研究開発を推進し、点に成る以前の掘り下げた課程に無の静止状況に空間説の、空間速に空時速、空圧速、空減速、に、重力、引力、中心に集交に調えられ、因要習性現象は作り生み整えられ、習性現象は作り生みされ点と成り、エネルギー起さりと成る。
これが、エネルギー起さりにおける、起源根元理説に見い出し、伏して立証に磁気習性現象を用い、補充供給無しの、自続エネルギーエンジンの完成により、実証、証明に成功した証しである。
【従来技術と発明技術の効果】
従来の地球上の歴世に、文化、文明発展の貢献に素晴らしい、発想技術には、エネルギーを得る事に必ず、源を利用、使用に自然界の太陽光、波力、風力、水力、等々、又、地球地下の地中資源に原子力、水素ガス、天然ガス、地熱、レアアース磁石、メタンハイドレード、石油、石炭、岩盤石油、等々あるが、地中掘削により、地球内部は、空洞になり、やがて破壊が懸念される。源を用いた物事には、公害、危険、破壊、資源にも限りがある。等々、欠点、問題点が多く、コスト費用が莫大である。
【従来技術】
１、レアアースの強力磁石モーターを用いてもエネルギーは持続は無い。
２、モーターダイナモ、バッテリーを用いてもエネルギーは持続しない。
３、太陽光発電も光素子が無ければ、蓄電池も無い。
等々、源を用い、利用、使用に歴世の発想技術には限界があり、過去に無から有の語り事はあったが、点、物質に成った定説である。点、素質以前に起る、無の状況に、エネルギー起さり説は存在しなかった。
【発明技術の効果】
【技術開発研究】
モーターダイナモ、触媒を造り強力磁石を用い開発したがエネルギーが続かず、研究中であるが（熱は少ない）これを解決することに、歴世に源を利用、使用に発想技術を全て諦め、否定し、全く新しい点、素質に成る以前に無の静止の状況にエネルギー起さりにおける、発想、構想の立証に、磁気習性現象を用い、源を必要としない、
磁気習性現象を用い、ふれ合いの連関、関連合いの空間に空速、時速、圧速に、習性現象は、圧速されては（縮み）減速されては（伸び）て加圧速に（送り）されて、（迎え）させれて（迎え）にさせられ（送り）にさせれて習性現象に送り迎えさせられ、自ら、続き、作り生みの作働働作に生み作りの働作作働に作り生みに生み作りにふれ合いの連関、関連に繰り返し、送迎させる自続エネルギーエンジンは補給供給無しの、自続エンジンは、エネルギー起さりの実証、証明である。
【起源根元理の説明】
無の静止状況に、起源根元理に、導き連なるは、連なりの導きに、連なりの導きは、導きの連なりに、導きの連なりは、連なりの導きに、導きは、連なり、連なりは導く。これが、無から有に、無の静止状況に、点に成る以前の  程の、エネルギー起さりの、全て新しい、文献説、定義、定説、文言説、全てを、肯定した事献倫理である。
【解決手段】
本発明は、エネルギー源を全く必要としない、補充、供給無しの自続エネルギーエンジンの完成に、磁気習性現象を用い、立証し、実証、証明の、成功は、エネルギー起さりにおける、起源根元理に見い出し、無の静止状況に「手段概要の説明」すると、点に成る前の起さりの要因解明に起源根元理にした、導きさせられ連なりさせれて連なりさせられ導きさせれて、導きさせられ連なりさせれて、連なりさせられ導きさせられ、導きは連なり、連なりは導く。これが点の起さりである。磁気習性現象を用い、自続エネルギーエンジンに起源根元作働働作に働作作働原理に説定し立証の「自続エネルギーエンジンの概要説明」に、文献説、定義、定説、文言説、実証に作働働作に作働送迎働作に働作作働に作働は働作は自続エネルギーエンジンの起さりである。
この発明により、地球上に全く新しい文明発展に幅広い経済産業分野に多大に貢献出来る最大の目的であり、効果は絶大である。（これは、全て新しい、文献説、定義、定説に立証の自続エネルギーエンジンの完成に、実証、証明し、エネルギー起さりに成功の証しである。）
【発明のエネルギー起さり起源根元理と探究】
【エネルギー起さり起源根元理】
エネルギーとは何か、要因とは、要素とは、点とは、物質とは、これ等に成る以前の  程を掘り下げ究明して着く果ては、無の静止状況に就く。
無の静止状況に於いては、エネルギーの起りも、点も、何事も一切存在しない。
この無の状況に要因のエネルギー起さりの課程に導きされて連なりさせられ連なりさせれて導きさせられ、に、連なりされて導きさせれて導きさせられ連なりさせれて導きは連なり、連なりは導きに、導き連なり連なり導く。
エネルギーの起さりに、（作りを生み）に、（生みを作り）の過程を見い出し、エネルギー起さり起源根元理に目途し、文献説、定義、定説、文言説にして、起源根元理の肯定説にした結果、自続エネルギーエンジンは完成し、エネルギーを得たのである。
【未来に幅広い産業分野の貢献】
【産業分野】
補充、供給無しの自続エネルギーエンジンの完成に、大型、小型、体内超小型も自由に造れ、持ち運びが出来、一戸に一台提供し活用出来、送電線、電源も要らず、全ての家電化製品に組み込み、自動車産業、建設機械産業、電車にも活用し、架線は要らない。宇宙に於いても、ロケットエンジンの代換えに超自続エネルギーエンジンや、探査機、宇宙ステーションのエネルギー源に活用できる。
この発明は、未来の文明発展に技術力の探究研究開発に必要な発明であり、エネルギー起さりの無の静止状況に起源根元理を見い出した立証に、実証、証明の説明である。
１、過去の自然界の源の活用には、何かを求めて初めて稼働出来る。
２、過去の源の活用に地球内部の資源確保には限りがあり、地中掘削に空洞化が進み、地    球破壊が懸念され、世界の学者が大いに心配している。（過去、文明の思想、考想は    、地球の環境破壊、破滅の危機を引き起こしている。）
本発明は、全て新しい未来の文明発展に、現実に伏し、実用化の説明にしたのである。
【地球環境】
と
【未来を見据えた成果】
クリーンな地球環境を整え、破壊、破滅の危機を救うための発明である。
現世代から全て新しい、地球上の文明発展の始まりであり、辞典にも記載事項の無い「自続」文字を記載したのである。
（地球文明に見過ごされ、無視され、現代に無かった、物事に、５０年近くの年月を掛け、解明し、未来を見据えた発明の成果である。）
【発明の意義】
本発明は地球上には全く無かった、全て新しい、未来の文明発展の探究解明に幅広い技術産業分野の発展に貢献できる発明であると確信しており、全記載の全ては、発明の定義であり、説明である。
【未来の研究開発】
日本の未来に、全て新しい、日本国だけの発明であり、日本の幅広い産業分野の技術力を結集導入し探究開発は、世界の経済大国日本を目指し、研究開発により実現し、近年代に、日本国の未来は明るく開けて見えてくる。
【発明の目途と探究】
【発明の目途】
エネルギー起さりにおける、補充、供給無しの無公害自続エネルギーエンジンに、エネルギー源に成り、宇宙に於いても、月、火星にも、活用出来る。又、地球に於いても、大気汚染、公害、地中の空洞化、資源にも限りが有り、地球破壊が進展している。これを解否した、自続エネルギーエンジンは、エネルギー起さりに無の静止状況に見い出し、エネルギー起りの、起さりであり、エネルギーが起さったことで有り、エネルギー源を得たことに、公害、汚染、破壊、無しの安心したクリーンな地球の文明発展に貢献し、全て新しい、目途し、想作した発明である。（真空状況も可）
【発明の探究１】
ロケットエンジン及びジェットエンジン等の代換に、全て新しい、エネルギー起さりに、補充、供給無しの空間移動に風速、時速、圧速、に吸収ダイナモ触媒吸引モーター噴射に風圧速導連送迎自続エネルギー連導に風圧速送迎に導連連導による自続エネルギーエンジンは作り生み、生み作り、エネルギーの起りに起さりさせた立証し実証証明は試作中に於いて（可能）である。
【発明の探究２】
ロケトエンジン及びジェットエンジン等の代換えに全て新しいエネルギー起さりに、電導放磁気と磁石放磁気を用い、補充、供給無しの無公害導連空間浮遊リング自続エネルギー送迎連導に、導連連導は、電導放磁気と磁石放磁気は、最強の超電導磁気放子と超磁石磁気放子は、導連連導に自続エネルギーに作り生み、生み作りに保たれ、導連空間浮遊リング自続エネルギー送迎連導の自続エネルギーエンジンの立証の実証証明に試作中に於いて（可能）である。（真空状況も可能）である。
【発明の目途と地球環境】
近代地球に於いて、大気汚染、公害、地中掘削で地球内部は空洞化し、資源にも限りがあり、地球破壊が懸念されている。過去の文明発展の文献、定義、定説、文言説を全て解否した結果、解決する手段に、無の静止状況にエネルギー起さりの起源根元理を見い出し、肯定説にし、立証に補充供給無しの自続エネルギーエンジンの完成に、実証、証明にエネルギーを得たのである。
【本明技術】
この起源根元理を見い出し、伏した証しに補充供給を必要のない、立証に、磁気習性現象を用い、自続エネルギーにさせる起源根元作働働作原理に自続エネルギーエンジンの完成にエネルギーの源の要らない、自ら、続くエネルギーエンジンにより、補充供給無しの、利用、使用の源、無しで、エネルギー源を得る、自続エネルギーは、この発明は、エネルギー起さり、であり、エネルギーは起さったエネルギー起り、であり自続エネルギーを得たのである。
【起源根元理に文献説、定義、文言説、定説の概要の説明】
起源根元理に無の静止状況に根源要因は、全く存在しない。無から有になる課程にエネルギーの起り、起さりの、事献物事に見い出しの無から有にエネルギー起さりにおける作りを生みに、生みを作りに、の、課程に点に成る以前の事献物事に無の静止状況に生じるふれ合いの連関合い、関連合いに導き連なる連なる導きに連なる導きに導きの連なりに、導きは連なり、連なりは導き、導連連導に無から有に根元要因は生じ、過程に、エネルギーは起され、点と成るのは、エネルギーの起さりである。
この発明は、全て新しい起源根元理に見い出し、立証に補充、供給無しの自続エネルギーエンジンの完成に事献物事に伏した実証証明に成功した証しである。
【補充供給無しの無公害自続エネルギーエンジンの概要】
【自続エネルギーエンジンを用いた起源根元作働働作原理】
全て新しい自続エネルギー見い出しの設定に、自らエネルギーに作りさせられ生みにさせれて生みにさせられ作りにさせれてに生みにさせられ作りにさせれて作りにさせられ生みにさせれて、続く、自続エネルギーエンジンの完成はエネルギーの起りであり、エネルギー起さりである。
【磁気習性現象を用いた、自続エネルギーエンジンに関する。】
補充供給無しの自続エネルギーエンジンに磁気習性現象を用い、見い出した設定に伏した「事献物事の定説理」に導連連導に連導導連に導連送迎連導に導連連導に無の静止状況にエネルギーは起さる「補充、供給無しのエネルギーエンジン」に起源根元、作働働作原理に作働働作に働作作働に働作送迎作働に働作作働にふれ合いの連関、関連合いに、エネルギーは起さる。「磁気習性現象を用いた自続エネルギーエンジングの概要」
【発明の効果】
地球上に歴史の文化、文明発展に用いた、定説を全て諦め否定し、克服に成功し、資源も豊富、補充供給も無く、公害も無く、破壊も無く、コストも安価、、大型、小型、自由に造れ、自続エネルギーエンジンの完成に補充供給無しのクリーンエネルギーを得た最大の効果であり、前歴世の欠点、問題点を、全て解決したのである。宇宙にも補充供給無しで電気、動力を提供し活用出来る。
【発明の成果】
この発明はエネルギー起さりにおける、無の静止状況に点に成る以前の起さりの過程の研究開発に地球上の歴世に、文化、文明発展に科学、医療及び幅広い技術産業分野に技術向上の貢献に明るい展望が開けてくる。宇宙にも活用出来、放射性物質の習性現象除去、細胞はいかに作り生みされているか、等々の研究開発に明るい展望と成る、エネルギー起さりにおける、発明の成果である。
【図面の簡単な説明】
【図１】平面図  （１４）レベーを起動させると（１）主軸（右廻り）に（３）と（１）は固着ギヤー（右廻り）に（１６）に固着した（４）アイドルギヤー（左廻り）に（５）アイドルギヤー（右廻り）に（６）ローターギヤー（左廻り）に固着した（７）ローター磁気（左廻り）は磁気習性現象によって（８）ローター磁気（右廻り）に（１０）アイドルローター磁気（左廻り）に（９）（１）に固着したローター磁気（右廻り）に（１７）内側内週盤に固着のローター磁気（右廻り）に（１７）に設けた（８）ローター磁気（右廻り）に（１）に固着した（１８）外側磁気外週盤（右廻り）にこのように構成し、レバー起動と同時に磁気習性現象の空間速は圧速されては（縮み）減速されては（伸びて）加減速送迎されてこそ自続エネルギーエンジンである。（１）主軸シャフト（右廻り）  （２）フライホール（右廻り）  （３）主軸固着ギヤー（右廻り）  （４）アイドルギヤー（左廻り）  （５）アイドルギヤー（右廻り）  （６）ローターギヤー（左廻り）  （７）ローター磁石（左廻り）  （８）ローター磁石（右廻り）  （９）主軸ローター磁石（右廻り）固着  （１０）アイドルローター（左廻り）  （１１）（１７）に固着のローター磁石（右廻り）  （１２）主軸に固着の出し入れ盤（右廻り）  （１３）外週加減速盤（右廻り）  （１４）加減速出入起動レバー  （１５）アイドルローター（右廻り）  （１６）固定盤  （１７）内側磁石内週盤（右廻り）  （１８）外側磁気外週盤（右廻り）  （１９）磁石
【図２】正面図  （９）と（１８）（右廻り）させると（１５）は（右廻り）をして（１０）は（左廻り）させる、（１８）で廻された（１５）は（１０）を廻し（９）を廻させる。このように構成させると磁気習性現象に加減速送迎させると起動する。（９）主軸ローター磁石（右廻り）  （１０）アイドルローター磁石（左廻り）  （１５）アイドルローター磁石（右廻り）  （１８）外側磁石外週盤（右廻り）  （１９）磁石
【図３】（１）を右に廻すと（４）は左廻りして（５）は右廻りして（６）は左廻りして（６）に連結されている（７）は左廻りをして（８）は右廻りをして（１）の右廻りの（１８）はさらに（８）を廻す構成です。（１）主軸（右廻り）固着ギヤー  （４）アイドルギヤー（左廻り）  （５）アイドルギヤー（右廻り）  （６）ローターギヤー（左廻り）  （７）ローター磁石（左廻り）  （８）ローター磁石（右廻り）  （１８）外側磁石外週盤（右廻り）  （１９）磁石
【図４】（１）と（１３）に（右廻り）（８）は右廻りに（１０）は左廻りに（９）は右廻りに同時に廻され、（１）と（１３）に（８）が廻され右廻り（１０）は左に廻り（１７）は右廻りさせた構成である。（１）主軸シャフト（右廻り）  （７）ローター磁石（左廻り）  （８）ローター磁石（右廻り）  （９）主軸固着ローター磁石（右廻り）  （１０）アイドルローター磁石（左廻り）  （１１）（１７）に固着したローター磁石（右廻り）  （１３）（１）に固着した外週加減速盤（右廻り）  （１７）内側磁石内週盤（右廻り）
【図５】（１４）を入れると（１）と（１８）は右廻り（８）は右廻りされ（１０）は左廻りされ（１１）は右に廻される構成である。（７）ローター磁石（左廻り）  （８）ローター磁石（右廻り）  （９）（１）主軸に固着ローター磁石（右廻り）  （１０）アイドルローター磁石（左廻り）  （１４）加減速起動出入レバー  （１８）（１３）に固着した磁石外週盤（右廻り）
【図１】
2014124070.tif 000003
【図２】
2014124070.tif 000004
【図３】
2014124070.tif 000005
【図４】
2014124070.tif 000006
【図５】
2014124070.tif 000007